(57)【要約】【課題】  ユーザが希望する方位の放送を容易かつ良好に受信できる。【解決手段】  アンテナの設定装置１６は、スマートアンテナ１２の、指向性が高くなる方位を変更する制御ユニット１４と、スマートアンテナ１２が受信した電波に対応する信号を抽出するチューナ３０と、制御ユニット１４を制御し、チューナ３０が抽出する信号の周波数を制御し、指向性が高くなる方位を変更するように、制御ユニット１４を制御するＣＰＵ４０と、チューナ３０が抽出した信号が表わす情報を出力するＯＳＤ３６と、ＯＳＤ３６が出力した情報のいずれかの選択を受付けるリモコン受信部４４と、情報を、スマートアンテナ１２の指向性が高くなる方位およびチューナ３０が抽出する信号の周波数に対応付けて記憶するメモリ４２の第１の領域と、選択が表わす情報に対応する方位および周波数を、互いに対応付けて記憶するメモリ４２の第２の領域とを含む。【選択図】        図１
2006217272.tif 000002
【特許請求の範囲】
【請求項１】
スマートアンテナの、指向性が高くなる方位を変更するための変更手段と、
所定の方位の指向性が高くなるように、前記変更手段を制御するための第１の制御手段と、
前記スマートアンテナが受信した電波に対応する信号を抽出するチューナと、
前記チューナが抽出する信号の周波数を制御するための第２の制御手段と、
前記チューナが抽出した信号が表わす画像の情報を、前記スマートアンテナの指向性が高くなる方位および前記チューナが抽出する信号の周波数に対応付けて記憶するための第１の記憶手段と、
前記チューナが抽出した信号が表わす画像の情報を、対応する周波数が同じで対応する方位が異なる２つ以上の画像の情報ごとに出力するための出力手段と、
前記出力手段が出力した２つ以上の画像の情報のいずれかの選択を受付けるための受付手段と、
前記選択が表わす画像の情報に対応する方位および周波数を、互いに対応付けて記憶するための第２の記憶手段と、
前記指向性が高くなる方位を、前記第２の記憶手段が記憶する方位のうち前記抽出手段が抽出する信号の周波数に対応する方位に変更するように、前記変更手段を制御するための第３の制御手段とを含む、アンテナの設定装置。
【請求項２】
指向性が高くなる方位を変更できるアンテナの、前記指向性が高くなる方位を変更するための変更手段と、
所定の方位の指向性が高くなるように、前記変更手段を制御するための第１の制御手段と、
前記アンテナが受信した電波に対応する信号を抽出するための抽出手段と、
前記抽出手段が抽出する信号の周波数を制御するための第２の制御手段と、
前記抽出手段が抽出した信号が表わす情報を、前記アンテナの指向性が高くなる方位および前記抽出手段が抽出する信号の周波数に対応付けて記憶するための第１の記憶手段と、
前記抽出手段が抽出した信号が表わす情報を出力するための出力手段と、
前記出力手段が出力した情報のいずれかの選択を受付けるための受付手段と、
前記選択が表わす情報に対応する方位および周波数を、互いに対応付けて記憶するための第２の記憶手段と、
前記指向性が高くなる方位を、前記第２の記憶手段が記憶する方位のうち前記抽出手段が抽出する信号の周波数に対応する方位に変更するように、前記変更手段を制御するための第３の制御手段とを含む、アンテナの設定装置。
【請求項３】
前記出力手段は、前記抽出手段が抽出した信号が表わす情報を、対応する周波数が同じ複数の情報ごとに出力するための手段を含み、
前記受付手段は、前記複数の情報のいずれかの選択を受付けるための手段を含む、請求項２に記載のアンテナの設定装置。
【請求項４】
前記複数の情報は、対応する方位が異なる２つ以上の情報を含む、請求項３に記載のアンテナの設定装置。
【請求項５】
前記複数の情報は、画像の情報を含む、請求項３に記載のアンテナの設定装置。
【請求項６】
前記アンテナの設定装置は、前記電波に対応する信号の垂直同期を検出するための検出手段をさらに含み、
前記第１の記憶手段は、前記抽出手段が抽出した信号のうち前記検出手段が垂直同期を検出した信号が表わす情報を記憶するための手段を含み、
前記出力手段は、前記抽出手段が抽出した信号のうち前記検出手段が垂直同期を検出した信号が表わす情報を出力するための手段を含む、請求項２に記載のアンテナの設定装置。
【発明の詳細な説明】
【技術分野】
【０００１】
本発明は、アンテナの設定装置に関し、特に、受信局におけるアンテナの設定装置に関する。
【背景技術】
【０００２】
特許文献１は、記憶回路に記憶されているリセット情報に基づき複数のチューナを制御して所望のチャンネルを選局する選局装置において、チューナ毎に設けられて、チューナで選局されたチャンネルが使用チャンネルであるか未使用チャンネルであるかを示す判別信号を出力する判別信号出力回路と、複数のチューナを同時に用いて、選局するチャンネルを複数のチューナで重複しないように順次設定し、設定したチャンネルに対する判別信号と、判別信号によって使用チャンネルであることが示されたチャンネルを選局するためのチューナ設定情報とを用いてリセット情報を生成する制御回路とを有する選局装置を開示する。
【０００３】
この発明によると、複数のチューナを同時に用いてオートプリセット動作に要する時間を短くできる。
【０００４】
特許文献２には、テレビジョン受像機の選局において、複数局の映像を縮小して１つの画面上に同時に分割表示し、さらにその画面上に表示したカーソルを移動させた後に、カーソルが示す映像の局が選択されることを特徴とするテレビジョン受像機の選局装置を開示する。
【０００５】
この発明によると、多局の映像内容を同時に確認しながら容易に選局ができる。
【０００６】
特許文献３には、複数のアンテナを有するアダプティブアレイ無線通信装置であって、複数のアンテナのそれぞれで受信した複数系列の信号の受信レベルを判定する判定回路と、判定された複数系列の信号の受信レベルを表示する表示装置と、ユーザの手動により、複数系列の信号の受信レベルを調整するための受信レベル調整装置とを備えた、アダプティブアレイ無線通信装置が開示されている。この発明によると、複数アンテナを備えたアダプティブアレイ無線通信装置においてもユーザが容易にアンテナの受信レベルを調整することができる。
【特許文献１】特開２００４−２６０３０８号公報
【特許文献２】特開平５−３２８２４４号公報
【特許文献３】特開２００４−１１２５７３号公報
【発明の開示】
【発明が解決しようとする課題】
【０００７】
しかしながら、特許文献１〜特許文献３に開示された発明では、ユーザが希望する放送を受信し難い場合があるという問題点がある。たとえば、北米では、ＡＴＳＣ（Advanced Television Systems Committee）デジタル放送やＮＴＳＣ（National Television Standards Committee）アナログ放送が行なわれている。北米では、それらの放送を実施する放送局が全米に点々と配置されている。従来のアンテナ（八木アンテナなど）では、これらの放送局のうち、特定の方位にある放送局の放送しか受信できない。図５は、このような問題点を表わす概念図である。たとえば、ユーザの自宅７０のアンテナがＡ地域に向けられている場合、ユーザの自宅７０ではＡ地域の放送しか受信できない。Ｂ地域やＣ地域の放送を受信することはできない。
【０００８】
このような問題点を解決するために、スマートアンテナが開発された。スマートアンテナとは放送を受信する方位を任意に設定できるアンテナである。スマートアンテナを用いると、ユーザは任意の方位の放送を受信できる。しかしながら、スマートアンテナを用いる場合、ユーザが、スマートアンテナを調整すること（特に画質が良好となるように調整すること）は、極めて困難であるという問題点がある。図６は、このような問題が生ずる原因を表わす概念図である。通常、スマートアンテナが電波を受信する方位は、受信する信号の強度が最も高い方位に設定される（このように設定すること自体、専門的な知識を持たないユーザにとって困難なことである）。これに対し、放送局７２から直接受信した電波による強度よりも、ビル７４などからの反射波による強度が高い場合がある。このような場合、スマートアンテナが電波を受信する方位を信号の強度が最も高い方位に設定すると、受信する画像が悪くなる可能性がある。このような点にまで留意する必要があることが、ユーザによってスマートアンテナを調整することが極めて困難な理由である。このような問題点があるために、アンテナメーカーなどにとって、放送を受信する方位の調整は、ユーザが行なう作業の対象外であった。しかしながら、ユーザにとって、電波を受信する経路が変化する（例えば放送局の新設や廃止、新たな建築物の出現など）たびに、専門家にアンテナの調整を依頼することは、極めてわずらわしいことである。この問題点は、アナログ放送かデジタル放送かということには依存しない。アナログ放送の場合、画質が受信する電波の質に依存するためである。デジタル放送の場合、ブロックノイズにより、受信した信号をデコーダが復号できないことがあるためである。
【０００９】
本発明は上述の問題点を解決するためになされたものであって、その目的は、ユーザが希望する方位の放送を容易かつ良好に受信できるアンテナの設定装置を提供することにある。
【課題を解決するための手段】
【００１０】
上記目的を達成するために、本発明のある局面にしたがうと、アンテナの設定装置は、スマートアンテナの、指向性が高くなる方位を変更するための変更手段と、所定の方位の指向性が高くなるように、変更手段を制御するための第１の制御手段と、スマートアンテナが受信した電波に対応する信号を抽出するチューナと、チューナが抽出する信号の周波数を制御するための第２の制御手段と、チューナが抽出した信号が表わす画像の情報を、スマートアンテナの指向性が高くなる方位およびチューナが抽出する信号の周波数に対応付けて記憶するための第１の記憶手段と、チューナが抽出した信号が表わす画像の情報を、対応する周波数が同じで対応する方位が異なる２つ以上の画像の情報ごとに出力するための出力手段と、出力手段が出力した２つ以上の画像の情報のいずれかの選択を受付けるための受付手段と、選択が表わす画像の情報に対応する方位および周波数を、互いに対応付けて記憶するための第２の記憶手段と、指向性が高くなる方位を、第２の記憶手段が記憶する方位のうち抽出手段が抽出する信号の周波数に対応する方位に変更するように、変更手段を制御するための第３の制御手段とを含む。
【００１１】
すなわち、第１の制御手段は、所定の方位の指向性が高くなるように、変更手段を制御する。チューナは、スマートアンテナが受信した電波に対応する信号を抽出する。出力手段は、チューナが抽出した信号が表わす画像の情報を、対応する周波数が同じで対応する方位が異なる２つ以上の画像の情報ごとに出力する。受付手段は、出力手段が出力した２つ以上の画像の情報のいずれかの選択を受付ける。これにより、ユーザは、出力された画像の情報に基づいて、アンテナの指向性が高くなる方位を選択できる。第２の記憶手段は、選択が表わす画像の情報に対応する方位および周波数を、互いに対応付けて記憶する。第３の制御手段は、指向性が高くなる方位を、第２の記憶手段が記憶する方位のうち抽出手段が抽出する信号の周波数に対応する方位に変更するように、変更手段を制御する。変更手段は、スマートアンテナの、指向性が高くなる方位を変更する。その結果、ユーザが希望する方位の放送を容易かつ良好に受信できるアンテナの設定装置を提供することができる。
【００１２】
本発明の他の局面にしたがうと、アンテナの設定装置は、指向性が高くなる方位を変更できるアンテナの、指向性が高くなる方位を変更するための変更手段と、所定の方位の指向性が高くなるように、変更手段を制御するための第１の制御手段と、アンテナが受信した電波に対応する信号を抽出するための抽出手段と、抽出手段が抽出する信号の周波数を制御するための第２の制御手段と、抽出手段が抽出した信号が表わす情報を、アンテナの指向性が高くなる方位および抽出手段が抽出する信号の周波数に対応付けて記憶するための第１の記憶手段と、抽出手段が抽出した信号が表わす情報を出力するための出力手段と、出力手段が出力した情報のいずれかの選択を受付けるための受付手段と、選択が表わす情報に対応する方位および周波数を、互いに対応付けて記憶するための第２の記憶手段と、指向性が高くなる方位を、第２の記憶手段が記憶する方位のうち抽出手段が抽出する信号の周波数に対応する方位に変更するように、変更手段を制御するための第３の制御手段とを含む。
【００１３】
すなわち、第１の制御手段は、所定の方位の指向性が高くなるように、変更手段を制御する。抽出手段は、アンテナが受信した電波に対応する信号を抽出する。出力手段は、抽出手段が抽出した信号が表わす情報を出力する。受付手段は、出力手段が出力した情報のいずれかの選択を受付ける。これにより、ユーザは、出力された情報に基づいて、アンテナの指向性が高くなる方位を選択できる。第２の記憶手段は、選択が表わす情報に対応する方位および周波数を、互いに対応付けて記憶する。第３の制御手段は、指向性が高くなる方位を、第２の記憶手段が記憶する方位のうち抽出手段が抽出する信号の周波数に対応する方位に変更するように、変更手段を制御する。変更手段は、指向性が高くなる方位を変更できるアンテナの、指向性が高くなる方位を変更する。その結果、ユーザが希望する方位の放送を容易かつ良好に受信できるアンテナの設定装置を提供することができる。
【００１４】
また、上述の出力手段は、抽出手段が抽出した信号が表わす情報を、対応する周波数が同じ複数の情報ごとに出力するための手段を含むことが望ましい。受付手段は、複数の情報のいずれかの選択を受付けるための手段を含むことが望ましい。
【００１５】
すなわち、出力手段は、抽出手段が抽出した信号が表わす情報を、対応する周波数が同じ複数の情報ごとに出力する。受付手段は、出力手段が出力した複数の情報のいずれかの選択を受付ける。これにより、ユーザは、出力された情報に基づいて、指向性が高くなる方位をより容易に選択できる。その結果、ユーザが希望する方位の放送をより容易かつ良好に受信できるアンテナの設定装置を提供することができる。
【００１６】
また、上述の複数の情報は、対応する方位が異なる２つ以上の情報を含むことが望ましい。
【００１７】
すなわち、出力手段は、抽出手段が抽出した信号が表わす情報を、対応する周波数が同じで対応する方位が異なる２つ以上の情報ごとに出力する。受付手段は、出力手段が出力した２つ以上の情報のいずれかの選択を受付ける。これにより、ユーザは、出力された情報に基づいて、指向性が高くなる方位をさらに容易に選択できる。その結果、ユーザが希望する方位の放送をさらに容易かつ良好に受信できるアンテナの設定装置を提供することができる。
【００１８】
また、上述の複数の情報は、画像の情報を含むことが望ましい。
【００１９】
すなわち、出力手段は、抽出手段が抽出した信号が表わす画像の情報を、対応する周波数が同じ複数の情報ごとに出力する。受付手段は、出力手段が出力した複数の画像の情報のいずれかの選択を受付ける。これにより、ユーザは、出力された情報に基づいて、指向性が高くなる方位をより良好に選択できる。その結果、ユーザが希望する方位の放送をより容易かつより良好に受信できるアンテナの設定装置を提供することができる。
【００２０】
また、上述のアンテナの設定装置は、電波に対応する信号の垂直同期を検出するための検出手段をさらに含むことが望ましい。第１の記憶手段は、抽出手段が抽出した信号のうち検出手段が垂直同期を検出した信号が表わす情報を記憶するための手段を含むことが望ましい。出力手段は、抽出手段が抽出した信号のうち検出手段が垂直同期を検出した信号が表わす情報を出力するための手段を含むことが望ましい。
【００２１】
すなわち、検出手段は、電波に対応する信号の垂直同期を検出する。第１の記憶手段は、抽出手段が抽出した信号のうち検出手段が垂直同期を検出した信号が表わす情報を記憶する。出力手段は、抽出手段が抽出した信号のうち検出手段が垂直同期を検出した信号が表わす情報を出力する。これにより、ユーザは、出力された情報に基づいて、指向性が高くなる方位をより良好に選択できる。その結果、ユーザが希望する方位の放送をより容易かつより良好に受信できるアンテナの設定装置を提供することができる。
【発明の効果】
【００２２】
本発明に係るアンテナの設定装置は、ユーザが希望する方位の放送を容易かつ良好に受信できる。
【発明を実施するための最良の形態】
【００２３】
以下、図面を参照しつつ、本発明の実施の形態について説明する。以下の説明では、同一の部品は同一の符号を付してある。それらの名称および機能も同一である。したがって、それらについての詳細な説明は繰返さない。
【００２４】
図１を参照して、本実施の形態に係る受信システム１０は、スマートアンテナ１２と、制御ユニット１４と、設定装置１６と、テレビ１８と、リモコン２０とを含む。スマートアンテナ１２は、４本のアンテナが受信した電波を電流に変換する。制御ユニット１４は、スマートアンテナ１２が最も感度よく放送を受信できる方位を制御する。制御ユニット１４は、スマートアンテナ１２の、指向性が高くなる方位を変更する装置でもある。本実施の形態の場合、制御ユニット１４は、スマートアンテナ１２の４本のアンテナが検出する電界強度を変換することにより、スマートアンテナ１２の、指向性が高くなる方位を１６通りに変更させることができる。これにより、スマートアンテナ１２は、１６通りの方位の放送を良好に受信できる。設定装置１６は、スマートアンテナ１２が放送を受信する方位を放送局毎に設定する。設定装置１６は、スマートアンテナ１２が受信した電波を信号としてテレビ１８に出力する装置でもある。テレビ１８は、設定装置１６が出力した信号を映像に変換する。リモコン２０は、設定装置１６に対するユーザの指令を受付ける。リモコン２０は、受付けた指令を設定装置１６に送信する装置でもある。
【００２５】
設定装置１６は、チューナ３０と、ＡＴＳＣフロントエンド３２と、ＭＰＥＧ（Moving Picture Experts Group）デコーダ３４と、ＯＳＤ（On Screen Display）３６と、ＮＴＳＣデコーダ３８と、ＣＰＵ（Central Processing Unit）４０と、メモリ４２と、リモコン受信部４４とを含む。チューナ３０は、制御ユニット１４が出力した電流（この電流はスマートアンテナ１２が電波から変換した電流である）から、映像や音声を表わす信号を抽出する。ＡＴＳＣフロントエンド３２は、チューナ３０が出力した信号をＭＰＥＧ方式の信号に変換する。ＭＰＥＧデコーダ３４は、ＡＴＳＣフロントエンド３２が出力した信号を映像や音声などの信号に復号する。ＯＳＤ３６は、映像や音声などの信号をテレビ１８が利用できる信号に変換する。ＮＴＳＣデコーダ３８は、チューナ３０が出力した信号を映像や音声の信号に復号する。ＣＰＵ４０は、設定装置１６の各部を制御する。この制御には、チューナ３０が抽出する信号の周波数の制御も含まれる。メモリ４２は、ＣＰＵが設定装置１６の各部を制御するために必要な情報や、スマートアンテナ１２が放送を受信する方向を決定するために必要な情報を記憶する。リモコン受信部４４は、リモコン２０が送信した信号をＣＰＵ４０が利用できる信号に変換する。
【００２６】
メモリ４２は、第１の領域と第２の領域とを含む。第１の領域は、画像の情報（チューナ３０が抽出した信号が表わす画像の情報）を、スマートアンテナ１２の指向性が高くなる方位およびチューナ３０が抽出する信号の周波数に対応付けて記憶する。第２の領域は、画像の情報（リモコン受信部４４が受付けた選択が表わす画像の情報）に対応する方位および周波数を、互いに対応付けて記憶する。
【００２７】
図２を参照して、本実施の形態に係る受信システムで実行されるプログラムは、受信の方位の設定に関し、以下のような制御構造を有する。
【００２８】
ステップ５０（以下、ステップをＳと略す。）にて、スマートアンテナ１２は電波を受信する。電波が受信されると、制御ユニット１４は、スマートアンテナ１２が出力した電流をチューナ３０に出力する。電流が出力されると、チューナ３０は、電波（ひいては電波に対応する信号）を、スマートアンテナ１２が制御ユニット１４を介して出力した電流として、受付ける。チューナ３０は、受付けた電流から、電波に対応する信号を抽出する。信号が抽出されると、ＣＰＵ４０は、電波に対応する信号の垂直同期を検出するため、信号の値の変動を解析する。解析が終了すると、ＣＰＵ４０は、解析された信号の値の変動に基づき、チューナ３０が出力した信号がＶ−Ｓｙｎｃを表わすか否か（Ｖ−Ｓｙｎｃを獲得したか否か）を判断する。Ｖ−Ｓｙｎｃを獲得する理由は、信号があるか否かを最も客観的に判断できると考えられる点にある。Ｖ−Ｓｙｎｃを獲得したと判断した場合（Ｓ５０にてＹＥＳ）、処理はＳ５２へと移される。もしそうでないと（Ｓ５０にてＮＯ）、処理はＳ５４へと移される。
【００２９】
Ｓ５２にて、スマートアンテナ１２により受信された電波がアナログ信号の場合、ＮＴＳＣデコーダ３８は、チューナ３０が出力した信号を映像や音声の信号に復号する。スマートアンテナ１２により受信された電波がデジタル信号の場合、ＡＴＳＣフロントエンド３２およびＭＰＥＧデコーダ３４は、チューナ３０が出力した信号を映像や音声の信号に復号する。音声や映像の信号が復号されると、ＣＰＵ４０は、その信号を、スマートアンテナ１２の指向性が高くなる方位およびチューナ３０が抽出する信号の周波数に対応付けて、メモリ４２の第１の領域に記憶させる。すなわち、ＣＰＵ４０は、復号された画像などをキャプチャする。
【００３０】
Ｓ５４にて、ＣＰＵ４０は、スマートアンテナ１２が全方位についてＶ−Ｓｙｎｃの獲得の可否を確認したか否かを判断する。確認したと判断した場合（Ｓ５４にてＹＥＳ）、処理はＳ５６へと移される。もしそうでないと（Ｓ５４にてＮＯ）、処理はＳ６０へと移される。
【００３１】
Ｓ５６にて、ＣＰＵ４０は、メモリ４２の第１の領域から、キャプチャした画像の情報などを読出す。ＣＰＵ４０は、読出した画像の情報などをＯＳＤ３６に出力する。ＯＳＤ３６は、出力された画像の情報などを、テレビ１８が出力できる信号に変換する。本実施の形態の場合、ＯＳＤ３６は、出力された（すなわちチューナ３０が抽出した信号が表わす）画像の情報を、対応する周波数が同じで対応する方位が異なる、２つ以上の画像の情報ごとに変換する。このとき、画像の情報などは、キャプチャされた画像数に応じて、テレビ１８に表示される際のレイアウトが変更されるように変換される。ＯＳＤ３６は、変換した信号を、テレビ１８に出力する。テレビ１８は、ＯＳＤ３６が出力した信号を映像などとして表示する。Ｓ５８にて、リモコン受信部４４は、リモコン２０を介して、ユーザからの画像の選択を受付ける。
【００３２】
Ｓ６０にて、ＣＰＵ４０は、スマートアンテナ１２が放送を受信する方位を変更すべき旨の信号を出力する。制御ユニット１４は、ＣＰＵ４０から信号を受付けると、スマートアンテナ１２が放送を受信する方位を変更する。
【００３３】
Ｓ６２にて、ＣＰＵ４０は、すべての放送局について、画像の選択を受付けたか否かを判断する。選択を受付けたと判断した場合（Ｓ６２にてＹＥＳ）、処理はＳ６４へと移される。もしそうでないと（Ｓ６２にてＮＯ）、処理はＳ６６へと移される。
【００３４】
Ｓ６４にて、ＣＰＵ４０は、メモリ４２の第２の領域に、リモコン受信部４４が受付けたユーザの選択に対応する方位およびチャンネル（すなわち、画像の情報に対応する方位および周波数。この「画像の情報」は、リモコン受信部４４が受付けた選択が表わし、かつＯＳＤ３６が出力した画像の情報を指す。）を、互いに対応付けて記憶させる。
【００３５】
Ｓ６６にて、ＣＰＵ４０は、受信する放送局を変更する旨の信号をチューナ３０に出力する。信号が出力されると、チューナ３０は、それ以降、その信号に表わされた放送局からの信号を抽出することとする。
【００３６】
以上のような構造およびフローチャートに基づく、受信システム１０の動作について説明する。
【００３７】
ユーザが、リモコン２０を介して、設定装置１６に対し放送の受信の方位を設定する旨の信号を送信すると、リモコン受信部４４は、その信号を受付ける。その信号が受付けられると、ＣＰＵ４０は、放送を受信する旨の信号を制御ユニット１４に出力する。これにより、制御ユニット１４は、所定の方位（本実施の形態の場合、この方位は設定装置１６の設計者によって予め定められた方位である。本実施の形態の場合、この「所定の方位」は、Ｓ５０〜Ｓ６０が繰返される間、順次再設定される）の指向性が高くなるように、制御される。制御ユニット１４は、その信号が表わす方位の放送を受信するように、スマートアンテナ１２の、指向性が高くなる方位を変更する。放送を受信する旨の信号が出力されると、ＣＰＵ４０は、信号を出力することにより、チューナ３０が抽出する信号の周波数を制御する。スマートアンテナ１２は放送を受信する。放送が受信されると、チューナ３０は、スマートアンテナ１２が受信した電波に対応する信号を抽出する。ＣＰＵ４０は、チューナ３０が出力した信号を受付ける。信号が受付けられると、ＣＰＵ４０は、電波に対応する信号の垂直同期を検出するため、信号の値の変動を解析する。解析が終了すると、ＣＰＵ４０は、Ｖ−Ｓｙｎｃを獲得したか否かを判断する（Ｓ５０）。Ｖ−Ｓｙｎｃが獲得したと判断されると（Ｓ５０にてＹＥＳ）、ＣＰＵ４０は、ＮＴＳＣデコーダ３８などが復号した画像などをキャプチャする（Ｓ５２）。これにより、メモリ４２の第１の領域は、ＣＰＵ４０が垂直同期を検出しかつチューナ３０が抽出した信号（電波に対応する信号）が表わす画像の情報を、スマートアンテナ１２の指向性が高くなる方位およびチューナ３０が抽出する信号の周波数に対応付けて記憶することとなる。
【００３８】
画像などがキャプチャされると、ＣＰＵ４０は、全方位についてのＶ−Ｓｙｎｃの獲得を確認したか否かを判断する（Ｓ５４）。まだ確認していない場合（Ｓ５４にてＮＯ）、ＣＰＵ４０は、放送を受信する方位を変更する旨の信号を制御ユニット１４に出力する（Ｓ６０）。
【００３９】
信号が出力されると、Ｓ５０〜Ｓ６０が繰返される。その後、最終的には、すべての方位について、Ｖ−Ｓｙｎｃの獲得が確認される。図３は、あるチャンネルについて、確認の結果の一例を表わす図である。図３において、太い矢印は放送局からスマートアンテナ１２へ向く。細い矢印は、ビルなどからの反射波が進む方位を表わす。同心円状に配置された数値のうち、内側の数値（以下、「内周の数値」と称する）は、方位を表わす数値である。同心円状に配置された数値のうち、外側の数値は、受信した電波の強度を表わす数値である。白丸はＶ−Ｓｙｎｃが獲得されたことを表わす。ハッチングが付された丸は、Ｖ−Ｓｙｎｃが獲得されなかったことを表わす。図３の場合、内周の数値が「５」〜「１０」である方位において、Ｖ−Ｓｙｎｃが獲得されている。
【００４０】
その後、全方位について、Ｖ−Ｓｙｎｃの獲得を確認したと判断されるので（Ｓ５４にてＹＥＳ）、ＣＰＵ４０は、ＯＳＤ３６を介して、テレビ１８にキャプチャした画像などを表示させる（Ｓ５６）。このために、本実施の形態の場合、ＯＳＤ３６は、ＣＰＵ４０が垂直同期を検出しかつチューナ３０が抽出した信号が表わす画像の情報を、対応する周波数が同じで対応する方位が異なる２つ以上の画像の情報ごとに出力する。図４は、このときテレビ１８に表示される、同じチャンネルの画像の一覧を表わす図である。本実施の形態の場合、図３における内周の数値が「６」である方位（図４において「受信方向（６）映像」と表示された領域の画像）および「７」である方位（図４において「受信方向（７）映像」と表示された領域の画像）は、画質が悪いこととする。
【００４１】
画像などが表示されると、リモコン受信部４４は、リモコン２０を介して、ユーザからの２つ以上の画像のいずれかの選択（この画像は、ＯＳＤ３６が出力した２つ以上の画像の情報のいずれかの選択でもある）を受付ける（Ｓ５８）。ユーザは、画像を見て、画質がよい方位を選択できる。選択が受付けられると、ＣＰＵ４０は、すべての放送局について、Ｖ−Ｓｙｎｃの獲得を確認したか否かを判断する（Ｓ６２）。当初、すべてのチャンネルについて確認されていはいないので（Ｓ６２にてＮＯ）、ＣＰＵ４０は、チューナ３０に対し、受信する放送局を変更すべき旨の信号を出力する（Ｓ６６）。信号が出力されると、Ｓ５０〜Ｓ６６の処理が繰返される。最終的には、すべての放送局について、Ｖ−Ｓｙｎｃの獲得が確認されるので（Ｓ６２にてＹＥＳ）、ＣＰＵ４０は、メモリ４２の第２の領域に、リモコン受信部４４が受付けた選択に対応する方位およびチャンネル（すなわち、画像の情報に対応する方位および周波数。この「画像の情報」は、リモコン受信部４４が受付けた選択が表わし、かつＯＳＤ３６が出力した画像の情報を指す。）を、互いに対応付けて記憶させる（Ｓ６４）。これ以降、ＣＰＵ４０は、指向性が高くなる方位を、メモリ４２の第２の領域が記憶する方位のうちチューナ３０が抽出する信号の周波数に対応する方位に変更するように、制御ユニット１４を制御する。これにより、スマートアンテナ１２が電波を受信する方位は、メモリ４２の第２の領域に記憶された方位に変更される。この制御は、放送を受信する方位を再設定するまで、リモコン受信部４４がチャンネルの変更を受付けるたびに、実施される。
【００４２】
以上のようにして、本実施の形態に係る設定装置は、テレビに表示された画像の一覧に基づき、チャンネルに対応させて、放送を受信する方位の選択を受付ける。オートスキャンの際信号の強度があるしきい値を最初に超えた方位などを自動的に選択する必要はない。選択が受付けられると、設定装置は、その選択に応じた方位をメモリに記憶させる。これにより、ユーザは、放送を受信する方位を容易かつ（特に画質について）良好に（あるいはユーザの好みに応じて）設定できる。特に、放送局の新設や廃止などに応じてスマートアンテナが放送を受信する方位を再調整する際、ユーザがメーカーの協力を得なくても、単独で放送を受信する方位（ちなみに、この方位は、必ずしも放送局がある方位とは限らない）を容易かつ良好に設定できる。その結果、ユーザが単独で希望する方位の放送を容易かつ良好に受信できる（ひいては画質のよい番組やユーザの好みに応じた画質の番組を視聴できる）スマートアンテナの設定装置を提供することができる。
【００４３】
なお、チューナ３０が出力した信号の強度が弱い場合、図示しないＡＦＴ（automatic fine tuning circuit）で受信する電波の周波数を微調整してもよい。これにより、信号の強度が高まることがあるからである。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の実施の形態に係る受信システムの全体構成図である。
【図２】本発明の実施の形態に係る受信の方位の設定処理の制御の手順を示すフローチャートである。
【図３】本発明の実施の形態に係る確認の結果の一例を表わす図である。
【図４】本発明の実施の形態に係るテレビに表示される画像の一覧の概念図である。
【図５】従来例に係る問題点を表わす概念図である。
【図６】従来例に係るスマートアンテナに問題が生ずる原因を表わす概念図である。
【符号の説明】
【００４６】
１０  受信システム、１２  スマートアンテナ、１４  制御ユニット、１６  設定装置、１８  テレビ、２０  リモコン、３０  チューナ、３２  ＡＴＳＣフロントエンド、３４  ＭＰＥＧデコーダ、３６  ＯＳＤ、３８  ＮＴＳＣデコーダ、４０  ＣＰＵ、４２  メモリ、４４  リモコン受信部、７０  自宅、７２  放送局、７４  ビル。
【図１】
2006217272.tif 000003
【図２】
2006217272.tif 000004
【図３】
2006217272.tif 000005
【図４】
2006217272.tif 000006
【図５】
2006217272.tif 000007
【図６】
2006217272.tif 000008